(57)【要約】【課題】ユーザが旅行等で名所等を見逃したり、記念写真を忘れたりしないようにすると共に、煩わしい撮影モード設定をユーザが行わなくとも良い撮影装置及び電子機器並びに撮影支援システムを提供することである。【解決手段】このカメラに於いては、モードリスト情報から位置情報或いは時間情報に対応させられた撮影条件を読み出して、デジタルカメラ１０を待機状態に設定する。そして、記憶された位置情報或いは時間情報と、位置取得機能部４５の出力或いは時計機能部３１ｄの出力とがシステムコントロール機能部３１ａで比較される。この比較結果が一致すると、該デジタルカメラ１０を待機状態から設定された撮影条件で撮影可能な状態に起動する。【選択図】      図１
2008301231.tif 000002
【特許請求の範囲】
【請求項１】
情報を設定する情報設定手段と、
上記情報設定手段から入力された地名情報と時間情報とからスケジュール情報を生成するスケジュール生成手段と、
上記スケジュール情報に基づきモードリスト情報を生成するモードリスト情報生成手段と、
上記スケジュール生成手段が生成したモードリスト情報を撮影装置へ設定するモードリスト情報設定手段と、
位置情報を出力する位置検出手段と、
時間情報を出力する時間検出手段と、
上記モードリスト情報から上記リストを読み出し、このリストに登録された位置情報と時間情報を起動条件として設定する起動条件設定手段と、
上記起動条件設定手段が設定した起動条件と、上記位置検出手段の出力或いは上記時間情報の出力とを比較する比較手段と、
上記比較手段が一致を検出すると、上記起動条件設定手段が読み出したリストに記憶された撮影条件での撮影動作を可能にする制御手段と、
を具備することを特徴とする撮影装置。
【請求項２】
位置情報或いは時間情報に対応させられた撮影条件に関する情報を含んだ複数のリストから成るモードリスト情報に基づき動作可能な撮影装置であって、
上記モードリスト情報から上記リストを読み出し、このリストに記録された位置情報と時間情報を起動条件として設定する設定手段と、
位置情報を出力する位置検出手段と、
時間情報を出力する時間検出手段と、
上記設定手段が読み出した起動条件と、上記位置検出手段の出力或いは上記時間情報の出力とを比較する比較手段と、
上記比較手段が一致を検出すると、上記設定手段が読み出したリストに記憶された撮影条件での撮影動作を可能にする制御手段と、
を具備することを特徴とする撮影装置。
【請求項３】
位置情報或は時間情報に対応させられた撮影条件に関する情報を含んだ複数のリストから構成されたモードリスト情報からリストを順次読込み読込んだリストに記録された撮影条件に撮影装置を設定すると共に、このリストに記録された位置に撮影装置が在ることを検出した時、或いは上記リストに記録された時間であることを検出した時、この設定された動作条件で撮影可能な撮影装置に接続可能な電子機器であって、
情報の設定手段と、
上記設定手段から入力された地名情報と時間情報とからスケジュール情報を生成するスケジュール生成手段と、
上記スケジュール情報に基づき上記モードリスト情報を生成する生成手段と、
上記生成手段が生成したモードリスト情報を上記撮影装置へ設定する設定手段と、
を具備することを特徴とする電子機器。
【請求項４】
スケジュール情報の設定を行うと共にこのスケジュール情報からモードリスト情報を生成する電子機器と、このモードリスト情報に基づき動作条件が設定可能な撮影装置とから構成された撮影支援システムであって、
上記電子機器は、
情報の設定手段と、
上記設定手段から入力された地名情報と時間情報とからスケジュール情報を生成するスケジュール生成手段と、
上記スケジュール情報に基づき上記モードリスト情報を生成する生成手段と、
上記生成手段が生成したモードリスト情報を上記撮影装置へ設定する設定手段と、
を有し、
上記撮影装置は、
上記モードリスト情報から上記リストを読み出し、このリストに記録された位置情報と時間情報を起動条件として設定する設定手段と、
位置情報を出力する位置検出手段と、
時間情報を出力する時間検出手段と、
上記設定手段が設定した起動条件と、上記位置検出手段の出力或は上記時間情報の出力とを比較する比較手段と、
上記比較手段が一致を検出すると、上記設定手段が読み出したリストに記憶された撮影条件での撮影動作を可能にする制御手段と、
を有する
ことを特徴とする撮影支援システム。
【請求項５】
少なくとも地名情報及び時間情報を入力する入力手段と、
上記入力手段から入力された地名情報と時間情報とからスケジュール情報を生成するスケジュール生成手段と、
上記スケジュール情報に基づきモードリスト情報を生成するモードリスト情報生成手段と、
上記スケジュール生成手段が生成したモードリスト情報を設定するモードリスト情報設定手段と、
位置情報を検出して出力する位置検出手段と、
時間情報を検出して出力する時間検出手段と、
上記モードリスト情報から上記リストを読み出し、このリストに記録された位置情報と時間情報を起動条件として設定する起動条件設定手段と、
上記起動条件設定手段が設定した起動条件と、上記位置検出手段の出力或いは上記時間情報の出力とを比較する比較手段と、
上記比較手段が一致を検出すると、上記起動条件設定手段が読み出したリストに記憶された撮影条件での撮影動作を可能にする制御手段と、
を具備することを特徴とする撮影装置。
【請求項６】
少なくとも位置情報及び時間情報の少なくとも何れか一方に対応された撮影条件に関する情報を含んだ複数のリストから成るモードリスト情報に基づいて動作可能な撮影装置であって、
上記モードリスト情報から上記リストを読み出し、このリストに記録された位置情報と時間情報を起動条件として設定する設定手段と、
位置情報を検出して出力する位置検出手段と、
時間情報を検出して出力する時間検出手段と、
上記設定手段が設定した起動条件と、上記位置検出手段の出力或いは上記時間情報の出力とを比較する比較手段と、
上記比較手段が一致を検出すると、上記設定手段が読み出したリストに記憶された撮影条件の撮影動作を可能にする制御手段と、
を具備することを特徴とする撮影装置。
【請求項７】
位置情報若しくは時間情報に対応された撮影条件に関する情報を含んだ複数のリストから構成されたモードリスト情報からリストを順次読込み、読込んだリストに記録された撮影条件に撮影装置を設定すると共に、該リストに記録された位置に撮影装置が存在することを検出した時、或いは上記リストに記録された時間であることを検出した時に、上記設定された撮影条件で撮影可能な撮影装置に接続可能な電子機器であって、
情報を入力する情報設定手段と、
上記情報設定手段から入力された地名情報と時間情報の少なくとも一方からスケジュール情報を生成するスケジュール生成手段と、
上記スケジュール情報に基づき上記モードリスト情報を生成するモードリスト情報生成手段と、
上記モードリスト情報生成手段が生成したモードリスト情報を上記撮影装置へ設定するモードリスト情報設定手段と、
を具備することを特徴とする電子機器。
【請求項８】
スケジュール情報の設定を行うと共にこのスケジュール情報からモードリスト情報を生成する電子機器と、このモードリスト情報に基づいて撮影条件が設定可能な撮影装置と、から構成される撮影支援システムであって、
上記電子機器は、
情報を入力する情報入力手段と、
上記情報入力手段から入力された地名情報及び時間情報の少なくとも一方とからスケジュール情報を生成するスケジュール生成手段と、
上記スケジュール情報に基づき上記モードリスト情報を生成するモードリスト情報生成手段と、
上記モードリスト情報生成手段が生成したモードリスト情報を上記撮影装置へ設定する設定手段と、
を有し、
上記撮影装置は、
上記モードリスト情報から上記リストを読み出し、このリストに記録された位置情報と時間情報を起動条件として設定する設定手段と、
位置情報を検出して出力する位置検出手段と、
時間情報を検出して出力する時間検出手段と、
上記設定手段が設定した起動条件と、上記位置検出手段の出力或いは上記時間情報の出力とを比較する比較手段と、
上記比較手段が一致を検出すると、上記設定手段が読み出したリストに記憶された撮影条件での撮影動作を可能にする制御手段と、
を有する
ことを特徴とする撮影支援システム。
【発明の詳細な説明】
【技術分野】
【０００１】
本発明は、位置特定機能を搭載した撮影装置及び電子機器並びに撮影支援システムに関し、より詳細には、位置特定機能を搭載して名所等の撮影推奨位置を告知すると共に撮影シーンに応じて撮影を支援する撮影装置及び電子機器並びに撮影支援システムに関するものである。
【背景技術】
【０００２】
近年、全地球測位システム（Ｇｌｏｂａｌ  Ｐｏｓｉｔｉｏｎｉｎｇ  Ｓｙｓｔｅｍ；以下ＧＰＳと略記する）等の位置特定機能を搭載した携帯端末（例えば、カメラ）を使用して、使用者の現在位置から目的の位置への移動を助けるナビゲーションシステムは広く知られている（例えば、下記特許文献１参照）。上記ＧＰＳとは、複数の軌道衛星から発信されている無線信号を受信することによって、地球上に於ける現在位置の情報（緯度、経度、高度等）や日時情報（グリニッジ標準時；ＧＭＴ）を取得することが可能な衛星測位システムのことである。
【０００３】
また、目的の場所を登録しておき、ＧＰＳによってそこに到着したと判断した時にそれを知らせるシステムも広く知られている（例えば、下記特許文献２参照）。
【０００４】
一方で、ＧＰＳを利用したカメラシステムが種々提案されている。例えば、ＧＰＳにより位置を特定して、その上で、天気情報等を元にカメラのホワイトバランス等の撮影モードを自動的に設定するカメラもある（下記特許文献３参照）。
【特許文献１】特開２００２−２１４６８４号公報
【特許文献２】特開２００１−２５７９２０号公報
【特許文献３】特開２００４−３３６３２６号公報
【発明の開示】
【発明が解決しようとする課題】
【０００５】
しかしながら、上述した特許文献１乃至３に記載されている位置特定技術として広く普及しているＧＰＳは、測定精度の問題や障害物による測定不可条件等がある。そのため、適用できるシーンが限られてしまい、ＧＰＳを使用した位置情報のみを使用して撮影モードをサポートしようとしても、できない場合があるという課題を有している。
【０００６】
また、撮影位置に到着したことを知らせるだけでは、ユーザはその場所で何を撮影するのが最適であるのか、カメラをどのような設定にするのが最適なのかがわからないという課題を有している。
【０００７】
したがって、本発明は上記実情に鑑みてなされたものであり、その目的は、ユーザが旅行等で名所等を見逃したり、そこでの記念写真を忘れたりしないようにすると共に、煩わしい撮影モード設定をユーザが行わなくとも良い撮影装置及び電子機器並びに撮影支援システムを提供することである。
【課題を解決するための手段】
【０００８】
すなわち請求項１に記載の発明は、情報を設定する情報設定手段と、上記情報設定手段から入力された地名情報と時間情報とからスケジュール情報を生成するスケジュール生成手段と、上記スケジュール情報に基づきモードリスト情報を生成するモードリスト情報生成手段と、上記スケジュール生成手段が生成したモードリスト情報を撮影装置へ設定するモードリスト情報設定手段と、位置情報を出力する位置検出手段と、時間情報を出力する時間検出手段と、上記モードリスト情報から上記リストを読み出し、このリストに登録された位置情報と時間情報を起動条件として設定する起動条件設定手段と、上記起動条件設定手段が設定した起動条件と、上記位置検出手段の出力或いは上記時間情報の出力とを比較する比較手段と、上記比較手段が一致を検出すると、上記起動条件設定手段が読み出したリストに記憶された撮影条件での撮影動作を可能にする制御手段と、を具備することを特徴とする。
【０００９】
請求項２に記載の発明は、位置情報或いは時間情報に対応させられた撮影条件に関する情報を含んだ複数のリストから成るモードリスト情報に基づき動作可能な撮影装置であって、上記モードリスト情報から上記リストを読み出し、このリストに記録された位置情報と時間情報を起動条件として設定する設定手段と、位置情報を出力する位置検出手段と、時間情報を出力する時間検出手段と、上記設定手段が読み出した起動条件と、上記位置検出手段の出力或いは上記時間情報の出力とを比較する比較手段と、上記比較手段が一致を検出すると、上記設定手段が読み出したリストに記憶された撮影条件での撮影動作を可能にする制御手段と、を具備することを特徴とする。
【００１０】
請求項３に記載の発明は、位置情報或は時間情報に対応させられた撮影条件に関する情報を含んだ複数のリストから構成されたモードリスト情報からリストを順次読込み読込んだリストに記録された撮影条件に撮影装置を設定すると共に、このリストに記録された位置に撮影装置が在ることを検出した時、或いは上記リストに記録された時間であることを検出した時、この設定された動作条件で撮影可能な撮影装置に接続可能な電子機器であって、情報の設定手段と、上記設定手段から入力された地名情報と時間情報とからスケジュール情報を生成するスケジュール生成手段と、上記スケジュール情報に基づき上記モードリスト情報を生成する生成手段と、上記生成手段が生成したモードリスト情報を上記撮影装置へ設定する設定手段と、を具備することを特徴とする。
【００１１】
請求項４に記載の発明は、スケジュール情報の設定を行うと共にこのスケジュール情報からモードリスト情報を生成する電子機器と、このモードリスト情報に基づき動作条件が設定可能な撮影装置とから構成された撮影支援システムであって、上記電子機器は、情報の設定手段と、上記設定手段から入力された地名情報と時間情報とからスケジュール情報を生成するスケジュール生成手段と、上記スケジュール情報に基づき上記モードリスト情報を生成する生成手段と、上記生成手段が生成したモードリスト情報を上記撮影装置へ設定する設定手段と、を有し、上記撮影装置は、上記モードリスト情報から上記リストを読み出し、このリストに記録された位置情報と時間情報を起動条件として設定する設定手段と、位置情報を出力する位置検出手段と、時間情報を出力する時間検出手段と、上記設定手段が設定した起動条件と、上記位置検出手段の出力或は上記時間情報の出力とを比較する比較手段と、上記比較手段が一致を検出すると、上記設定手段が読み出したリストに記憶された撮影条件での撮影動作を可能にする制御手段と、を有することを特徴とする。
【００１２】
請求項５に記載の発明は、少なくとも地名情報及び時間情報を入力する入力手段と、上記入力手段から入力された地名情報と時間情報とからスケジュール情報を生成するスケジュール生成手段と、上記スケジュール情報に基づきモードリスト情報を生成するモードリスト情報生成手段と、上記スケジュール生成手段が生成したモードリスト情報を設定するモードリスト情報設定手段と、位置情報を検出して出力する位置検出手段と、時間情報を検出して出力する時間検出手段と、上記モードリスト情報から上記リストを読み出し、このリストに記録された位置情報と時間情報を起動条件として設定する起動条件設定手段と、上記起動条件設定手段が設定した起動条件と、上記位置検出手段の出力或いは上記時間情報の出力とを比較する比較手段と、上記比較手段が一致を検出すると、上記起動条件設定手段が読み出したリストに記憶された撮影条件での撮影動作を可能にする制御手段と、を具備することを特徴とする。
【００１３】
請求項６に記載の発明は、少なくとも位置情報及び時間情報の少なくとも何れか一方に対応された撮影条件に関する情報を含んだ複数のリストから成るモードリスト情報に基づいて動作可能な撮影装置であって、上記モードリスト情報から上記リストを読み出し、このリストに記録された位置情報と時間情報を起動条件として設定する設定手段と、位置情報を検出して出力する位置検出手段と、時間情報を検出して出力する時間検出手段と、上記設定手段が設定した起動条件と、上記位置検出手段の出力或いは上記時間情報の出力とを比較する比較手段と、上記比較手段が一致を検出すると、上記設定手段が読み出したリストに記憶された撮影条件の撮影動作を可能にする制御手段と、を具備することを特徴とする。
【００１４】
請求項７に記載の発明は、位置情報若しくは時間情報に対応された撮影条件に関する情報を含んだ複数のリストから構成されたモードリスト情報からリストを順次読込み、読込んだリストに記録された撮影条件に撮影装置を設定すると共に、該リストに記録された位置に撮影装置が存在することを検出した時、或いは上記リストに記録された時間であることを検出した時に、上記設定された撮影条件で撮影可能な撮影装置に接続可能な電子機器であって、情報を入力する情報設定手段と、上記情報設定手段から入力された地名情報と時間情報の少なくとも一方からスケジュール情報を生成するスケジュール生成手段と、上記スケジュール情報に基づき上記モードリスト情報を生成するモードリスト情報生成手段と、上記モードリスト情報生成手段が生成したモードリスト情報を上記撮影装置へ設定するモードリスト情報設定手段と、を具備することを特徴とする。
【００１５】
請求項８に記載の発明は、スケジュール情報の設定を行うと共にこのスケジュール情報からモードリスト情報を生成する電子機器と、このモードリスト情報に基づいて撮影条件が設定可能な撮影装置と、から構成される撮影支援システムであって、上記電子機器は、情報を入力する情報入力手段と、上記情報入力手段から入力された地名情報及び時間情報の少なくとも一方とからスケジュール情報を生成するスケジュール生成手段と、上記スケジュール情報に基づき上記モードリスト情報を生成するモードリスト情報生成手段と、上記モードリスト情報生成手段が生成したモードリスト情報を上記撮影装置へ設定する設定手段と、を有し、上記撮影装置は、上記モードリスト情報から上記リストを読み出し、このリストに記録された位置情報と時間情報を起動条件として設定する設定手段と、位置情報を検出して出力する位置検出手段と、時間情報を検出して出力する時間検出手段と、上記設定手段が設定した起動条件と、上記位置検出手段の出力或いは上記時間情報の出力とを比較する比較手段と、上記比較手段が一致を検出すると、上記設定手段が読み出したリストに記憶された撮影条件での撮影動作を可能にする制御手段と、を有することを特徴とする。
【発明の効果】
【００１６】
本発明によれば、ユーザが旅行等で名所等を見逃したり、そこでの記念写真を忘れたりしないようにすると共に、煩わしい撮影モード設定をユーザが行わなくとも良い撮影装置及び電子機器並びに撮影支援システムを提供することができる。
【発明を実施するための最良の形態】
【００１７】
以下、図面を参照して本発明の実施形態を説明する。
【００１８】
（第１の実施形態）
図１は、本発明の第１の実施形態によるデジタルカメラの主な構成を示すブロック図である。
【００１９】
本実施形態に於けるデジタルカメラは、例えば光学レンズ等によって形成される被写体像を受光して、これを撮像素子等によって光電変換して電気的な画像信号を生成する撮影手段と、この撮影手段により生成された画像信号をデジタル画像データ及びこれに関連する撮影データとからなる画像データファイル（以下、画像ファイルという）として記録媒体等に記録する画像記録手段とを具備すると共に、発信源としての複数の測位衛星からのＧＰＳ信号を受信して地球上に於ける自己の位置を特定するための測位データや時間データ等を取得する情報取得手段を具備して構成されている。そして、上記画像記録手段は、上記測位データや時間データ等の情報を上記画像ファイルに関連付けて記録するように構成される。
【００２０】
すなわち、図１に示されるように、本実施形態に於けるデジタルカメラ１０は、レンズ１１と、撮像素子である電荷結合素子（ＣＣＤ）１２と、撮像回路１３と、Ａ／Ｄ変換器１４と、フレームメモリ１７と、ＦＩＦＯメモリ１８と、ＴＦＴ液晶駆動回路１９と、ＴＦＴパネル２０と、バックライトユニット２１と、ビデオ出力回路２２と、ビデオ出力端子２３と、記録バッファ２５と、記録媒体インターフェース（記録媒体Ｉ／Ｆ）２６と、記録媒体２７と、第１ＣＰＵ（ＣＰＵ１と表記する）３１と、第２ＣＰＵ（ＣＰＵ２と表記する）３２と、アクチュエータ駆動回路３５と、アクチュエータ３６と、ＥＥＰＲＯＭ３７と、キーマトリクス４０と、ＬＣＤ表示回路４１と、ＬＣＤパネル４２と、外部有線データインターフェース（外部有線データＩ／Ｆ）４４と、位置取得機能部４５と、アンテナ４６と、電源回路４９と、電池５０と、電池状態検出回路５１と、バックアップ電源５２と、を有して主に構成されている。
【００２１】
上記レンズ１１は、光学的な被写体像を形成し、これを撮像素子であるＣＣＤ１２の受光面上に結像させるために設けられるものである。
【００２２】
ＣＣＤ１２は、レンズ１１によって形成される光学的な被写体像を受けて光電変換処理を行って、電気的な画像信号を出力する素子である。ここでは、撮像素子としては、高速読み出しを行うことが可能なタイプの固体撮像素子であって、ＣＣＤ（電荷結合素子）が用いられるが、ＣＭＯＳ（相補型金属酸化膜半導体）、或いはその他の各種のタイプの撮像素子が適用されるものであっても良い。
【００２３】
撮像回路１３は、ＣＣＤ１２からの出力信号を受けて、その画像信号に対して各種のアナログ信号処理を行う電子回路である。Ａ／Ｄ変換器１４は、撮像回路１３から出力されるアナログ形式の画像信号を受けて、デジタル形式の画像信号に変換してデジタル的な信号処理を行う回路である。
【００２４】
フレームメモリ１７は、Ａ／Ｄ変換器１４によって処理された画像信号を受けて、処理済の画像信号や、該画像信号に関する各種データ等を一時的に記憶する一時記憶手段である。このフレームメモリ１７としては、例えば、ＳＤＲＡＭ等の半導体記憶素子等が適用される。
【００２５】
尚、本実施形態のデジタルカメラ１０に於いては、上述したレンズ１１、ＣＣＤ１２、撮像回路１３、Ａ／Ｄ変換器１４、フレームメモリ１７等によって、被写体を撮影して画像信号を生成する撮影手段の主要部が構成される。
【００２６】
ＦＩＦＯメモリ１８は、画像信号を各種の表示装置へ向けて出力する際に、当該画像信号の一時的な記憶を行うために設けられるメモリである。
【００２７】
ＴＦＴ液晶駆動回路９は、ＦＩＦＯメモリ１８から出力される画像信号を受けてＴＦＴパネル２０を制御する回路である。ＴＦＴパネル２０は、ＴＦＴ液晶駆動回路１９の制御によって、画像信号に基づく画像や当該デジタルカメラ１０に於ける各種の情報等を表示するための表示部であり、カラー表示可能なものが用いられている。更に、バックライトユニット２１は、ＴＦＴパネル２０の背面側に設けられるもので、当該ＴＦＴパネル２０を背面側から照明するためのものである。
【００２８】
尚、本実施形態のデジタルカメラ１０に於いては、上述したＴＦＴ液晶駆動回路１９、ＴＦＴパネル２０及びバックライトユニット２１等によって、表示手段である表示装置の主要部が構成される。この表示手段は、上記撮影手段により撮影された被写体像を電子的な画像として各種の形態で表示したり、表示される画像に関連付けされた各種の情報を表示するものである。
【００２９】
また、上記ビデオ出力回路２２は、ＦＩＦＯメモリ１８からの画像信号を受けて、例えばＮＴＳＣ形式のビデオ信号に変換し、ビデオ出力端子２３を介して、当該ビデオ出力端子２３に接続される外部表示装置（図示せず）等へ出力するための回路である。ビデオ出力端子２３は、本デジタルカメラ１０と図示されない外部表示装置等との間を電気的に接続するビデオケーブル等の信号線を接続するための接続端子である。
【００３０】
記録バッファ２５は、フレームメモリ１７に一時的に記憶されている画像信号に基づいて生成される画像データと、これに付随する撮影データとから成る画像ファイルとして記録媒体２７に記録するとき、若しくは記録媒体２７から記録済みの画像ファイルを読み出して、これをフレームメモリ１７に一時的に記憶するとき等に用いられるバッファ（一時保存領域）である。
【００３１】
記録媒体Ｉ／Ｆ１５は、記録媒体２７への画像データ等の記録処理や、記録媒体２７からの画像データ等の読み出し処理等を制御するためのものである。
【００３２】
記録媒体２７は、ＣＣＤ１２によって生成された画像信号に基づく画像データを含んで生成される画像ファイルや、その他の各種データを記録するための不揮発性の記録媒体、例えば薄板形状、カード形状から成るメモリカード等である。この記録媒体２７としては、例えば、デジタルカメラ等の機器に対して着脱自在とする形態のものや、デジタルカメラ等の機器内部の電気回路に固設されている形態のもの等、様々な形態のものがあり、何れの形態のものでも、本実施形態のデジタルカメラ１０に適用し得る。
【００３３】
上述した記録バッファ２５、記録媒体Ｉ／Ｆ２６及び記録媒体２７等によって、上記撮影手段で撮影されて得られた画像データとこれに付随する撮影データからなる画像ファイル等を記録媒体２７に記録する画像記録手段の主要部が構成される。
【００３４】
第１ＣＰＵ３１は、主（メイン）ＣＰＵとして配設されているものである。この第１ＣＰＵ３１は、本実施形態のデジタルカメラに於ける各回路を統括的に制御するための制御手段である。そのために、本デジタルカメラ１０の第１ＣＰＵ３１は、同デジタルカメラ１０に於けるシステム全体を適宜制御（コントロール）するためのシステムコントロール機能部（スケジュール生成手段、モードリスト情報生成手段、モードリスト情報設定手段、比較手段、起動手段）３１ａを備えている。
【００３５】
このシステムコントロール機能部３１ａの内部には、各種の電気回路等、例えば、撮影条件自動設定機能部３１ｂ、撮影ポイントアラーム機能部３１ｃ、時計機能部（時間検出手段）３１ｄ等、各種の機能を実現する制御回路を有して構成されている。
【００３６】
上記撮影条件自動設定機能部３１ｂは、例えば、ＥＥＰＲＯＭ３７内の撮影ポイントカメラ情報に基づいて、当該デジタルカメラ１０の撮影パラメータを実際に設定する制御機能を有している。
【００３７】
また、撮影ポイントアラーム機能部３１ｃは、当該デジタルカメラ１０が撮影ポイントに到達した際に、その旨を告知するためのアラーム機能を制御するための機能を有している。尚、このアラーム機能は、例えばＴＦＴパネル２０やＬＣＤパネル４２上に点滅等の表示によって告知するものであっても良く、更にはバイブレータ等の振動部材による振動、或いは発音部材による発音で告知するものであっても良い。
【００３８】
時計機能部３１ｄは、リアルタイムクロック（ＲＴＣ）であって、例えば「年」、「月」、「日」、「時」、「分」、「秒」等のそれぞれのデータを提供する電気回路である。この時計機能部３１ｄによって生成される日時情報は、ユーザがキーマトリクス４０の所定の操作部材を用いて設定することにより、当該デジタルカメラ１０に於いて基準となる日時情報であり、当該デジタルカメラ１０に於いて固有の時刻を表す基本時間を設定する第１の時計手段と、この第１の時計手段により設定される基本時間とは異なる時刻を表す付加時間を設定する第２の時計手段とを有して構成される。
【００３９】
換言すれば、本デジタルカメラ１０に於いては、第１の時計手段と第２の時計手段とを有する時計機能部３１ｄにより、２種類の異なる日時情報の設定を行い得ると共に、それぞれの日時情報を継続して保持することができるようになっている。この２種類の日時設定は、ユーザによって任意に行うことができるものである。
【００４０】
この場合に於いて、基本時間の設定としては、通常の場合、デジタルカメラを主に使用する際の環境（場所）に於ける標準時間（いわゆる自国時間）等が選択される。また、付加時間の設定としては、例えば、長距離旅行等によって時差のある環境、すなわち基本時間とは異なる標準時間となる場合等に、その旅行先等に於ける標準時間（いわゆる現地時間）等が選択される。更に、時計機能部３１ｄは、撮影手段による撮影動作時の日時情報を取得し得るようになっている。
【００４１】
上記第１ＣＰＵ３１は、上述したように本デジタルカメラ１０の各構成部の制御を行う制御部である。一方、第２ＣＰＵ３２は、主に画像データ等を扱うための各種の処理制御を行う制御部である。そのために、第２ＣＰＵ３２は、画像圧縮伸張機能部３２ａ、記録媒体アクセス機能部３２ｂ等を有して構成されている。
【００４２】
画像圧縮伸張機能部３２ａは、フレームメモリ１７に記憶されている画像データを読み出し、該画像データとこれに付随する撮影情報とを合わせて１つの画像ファイルを生成し、この画像ファイルについて、例えばＪＰＥＧ圧縮処理等を行ったり、記録媒体アクセス機能部３２ｂを介して、記録媒体２７から読み出した圧縮画像ファイルについての伸張処理等を行う回路部である。
【００４３】
また、記録媒体アクセス機能部３２ｂは、記録媒体インターフェース２６による記録媒体２７へのアクセスを制御するための回路部である。
【００４４】
すなわち、第２ＣＰＵ３２は、上記第１ＣＰＵ３１に於いて生成された画像ファイルを受けて、画像圧縮伸張機能部３２ａを制御し、当該画像ファイルの圧縮処理を行って、記録に適した形態の圧縮画像ファイルを生成した後、記録媒体アクセス機能部３２ｂを制御して当該圧縮画像ファイルを、記録バッファ２５、記録媒体インターフェース２６を介して記録媒体２７へと伝送し記録する機能を有する。
【００４５】
また、第２ＣＰＵ３２は、記録媒体アクセス機能部３２ｂを制御して、記録バッファ２５、記録媒体インターフェース２６を介して記録媒体２７から記録済みの圧縮画像ファイルを読み出して、画像圧縮伸張機能部３２ａを制御して伸張処理を行う機能を有する。
【００４６】
上記アクチュエータ駆動回路３５は、第１ＣＰＵ３１の制御に基づいて、アクチュエータ３６を制御し駆動する回路である。アクチュエータ３６は、レンズ１１を駆動してオートフォーカス動作を行ったり、或いはズーミング動作を行ったりするための駆動源である。
【００４７】
ＥＥＰＲＯＭ３７は、第１ＣＰＵ３１及び第２ＣＰＵ３２により実行される処理プログラム（アプリケーションソフトウエア）等や、本デジタルカメラ１０に於ける各種の設定データ、固有データ等を記憶し保持する不揮発性記憶媒体である。このＥＥＰＲＯＭ３７としては、例えばフラッシュロム（ＦｌａｓｈＲＯＭ）等が適用される。また、本実施形態に於いては、スケジュール情報を基にして、該デジタルカメラが何処の位置にある時にどのような状態であるか、というようなモードリスト情報や撮影ポイントカメラ情報が、このＥＥＰＲＯＭ３７内に書き込まれている。
【００４８】
キーマトリクス４０は、本実施形態のデジタルカメラ１０に設けられる各種の操作スイッチや、操作釦等を含む操作入力手段（情報設定手段）の総称として用いている。すなわち、キーマトリクス４０の具体的な構成例は、例えば、当該デジタルカメラ１０の電源状態をオンまたはオフ状態に切り換える指示を行う電源釦や、撮影動作を開始させる指示を行うレリーズ釦や、レンズ１１のズーム動作の指示を行うズーム釦や、撮影モードの選択設定や時間設定等、各種の設定を行う際に用いる四方向選択キー（十字キーとも称する）及び選択した設定を確定させる決定指示を行う際に用いる決定釦（ＯＫ釦）等、各種の操作部材等とこれら複数の操作部材のそれぞれに連動して所定の指示信号を発生させるスイッチ部材と、各スイッチ部材からの指示信号を伝達する電気回路等により構成される。このキーマトリクス４０に於ける各種の操作部材が、ユーザにより操作されることによって発生する信号は、第１ＣＰＵ３１に向けて出力されるようになっている。
【００４９】
また、このキーマトリクス４０内には、詳細を後述するようにして、このデジタルカメラ１０自体で撮影スケジュール情報等を登録するための、撮影ルート登録部４０ａを有している。
【００５０】
ＬＣＤ表示回路４１は、第１ＣＰＵ３１の制御に基づいてＬＣＤパネル４２を制御し、これに各種の情報表示を行わせる回路である。ＬＣＤパネル４２は、例えばモノクロＬＣＤ等によって構成され、当該デジタルカメラ１０に於いて、設定済みの各種設定情報、例えば、撮影モード等の動作モード情報や、記録媒体２７に記録可能な画像の枚数情報、撮影時のシャッタ速度や絞り値等の露出に関する情報、日時情報等を表示する情報表示部材である。
【００５１】
外部有線データインターフェース（外部有線データＩ／Ｆ）４４は、本デジタルカメラ１０と外部装置、例えばパーソナルコンピュータ６０との間に於いて、データ等の送受信を接続ケーブル等を介して行うための接続部分（インターフェース）である。例えば、この外部優先インターフェース４４は、ＵＳＢ（Ｕｎｉｖｅｒｓａｌ  Ｓｅｒｉａｌ  Ｂｕｓ）規格やＩＥＥＥ１３９４等に準拠したものが適用される。
【００５２】
この外部有線データインターフェース４４及び図示されない接続ケーブル（ＵＳＢ等）によって、図示されない外部装置と有線により、情報を送受信する有線通信手段の主要部が構成される。
【００５３】
尚、パーソナルコンピュータ６０は、ネットワーク６１を経由して、サーバ６３のデータベースと接続されるようになっている。
【００５４】
位置取得機能部４５は、ＧＰＳアンテナ４６により受信されたＧＰＳ信号を受けて、その受信信号の強度を測定したり、受信したＧＰＳ信号に対して周波数変換（ダウンコンバート）処理とＡ／Ｄ変換処理等の信号処理を施す機能を有すると共に、この信号処理されたＧＰＳ信号に対して所定の演算処理を行って、受信したＧＰＳ信号を送信している測位衛星からのＧＰＳ信号を捕捉し追尾する機能を有している。
【００５５】
この位置取得機能部４５は、第１ＣＰＵ３１に接続されており、該第１ＣＰＵ３１の制御によって動作し、信号処理後の信号や演算結果を第１ＣＰＵ３１に向けて出力するようになっている。
【００５６】
上記ＧＰＳアンテナ４６は、複数の測位衛星から送信されたＧＰＳ信号を受信する受信手段の一部であって、当該ＧＰＳ信号の入力部である。このＧＰＳアンテナ４６は、受信手段の他の一部を構成する位置取得機能部４５に接続されている。これにより、ＧＰＳアンテナ４６により受信された測位衛星からのＧＰＳ信号は、位置取得機能部４５へと出力されるようになっている。
【００５７】
上記ＧＰＳアンテナ４６、位置取得機能部４５、第１ＣＰＵ３１内のシステムコントロール機能部３１ａによって、当該デジタルカメラ１０の地球上に於ける位置を特定する位置情報や日時情報等を取得する情報取得手段（位置検出手段）の主要部が構成されている。
【００５８】
電源回路４９は、第１ＣＰＵ３１の指令に基づいて電池５０及びバックアップ電源５２からの電源を受けて、本デジタルカメラ１０の内部の各電気回路へと適宜供給する制御を行う回路である。
【００５９】
電池５０は、当該デジタルカメラ１０に於ける主（メイン）電源である。この電池５０は、例えば、ＣＣＤ１２等から成る撮影手段や、記録媒体２７等から成る画像記録手段や、ＧＰＳアンテナ４６等から成る情報取得手段等、本デジタルカメラ１０に於ける各電気回路へと電力を供給するようになっている。
【００６０】
電池状態検出回路５１は、電池５０に於ける電圧等、当該電池５０の充電状態を検出して、該電池５０の電池残量等を算出し、その結果を第１ＣＰＵ３１へと出力する回路である。つまり、電池状態検出回路５１は、電池（電源）５０の充電状態を検出する電源状態検出手段である。
【００６１】
バックアップ電源５２は、本デジタルカメラ１０の第１ＣＰＵ３１等に対して常に必要最低限の電力を供給するために設けられているものである。例えば、本デジタルカメラ１０に於ける各種の設定値等の情報や日時情報等を保持したり、日付表示を上記ＬＣＤパネル４２等を用いて、常時行い得るようにするための副（サブ）電源となっている。
【００６２】
その他、本実施形態に関連しない部分の構成については、通常一般のデジタルカメラと同様に構成されているものとして、その詳細構成については図示及び説明を省略する。
【００６３】
次に、図２のフローチャートを参照して、本実施形態に於けるデジタルカメラの動作について説明する。
【００６４】
本第１の実施形態では、デジタルカメラ１０に実際のスケジュールを登録する例について説明する。
【００６５】
先ず、事前準備として、例えば、ユーザによって、旅行等の出発前に、旅行の行動予定がカメラに登録される。この登録情報を基に、後述するように、ネットワーク上、若しくはカメラ本体内のデータベースから撮影情報等が検索されて、カメラ内に保持される。このようにして、事前準備処理が行われる。以下、この処理について説明する。
【００６６】
ユーザによってデジタルカメラ１０のキーマトリクス４０中の図示されない電源釦がオン操作されると、デジタルカメラ１０が起動されて本シーケンスが開始される。次いで、ステップＳ１に於いて、第１ＣＰＵ３１によってカメラ内部回路の初期化処理が実行される。その後、ステップＳ２の処理に移行する。
【００６７】
ステップＳ２では、キーマトリクス４０等が操作されることにより、動作モードが選択される。この動作モードとは、例えば、旅行撮影モード、再生モード、スケジュール登録モード等である。そして、ステップＳ３に於いて、選択された動作モードがスケジュール登録モードであるか否かが判定される。ここで、スケジュール登録モードが選択された場合はステップＳ４に移行し、そうでない場合はその他のモード選択に移行する。尚、このその他のモードの処理については一般的な動作モードであり、本実施形態の特徴部分ではないので、ここでの説明は省略する。
【００６８】
ステップＳ４では、図３に示されるような登録モード画面が、ＴＦＴパネル２０に表示される。この登録モードの詳細については後述する。ステップＳ５にて、上記ステップＳ４で表示された画面に従って撮影ポイントが登録されると、続いてステップＳ６にて概略の到着時間が登録される。
【００６９】
そして、ステップＳ７に於いて、撮影ポイントの登録が終了したか否かが判定される。ここで、まだ登録が終了していない場合は、上記ステップＳ５に移行して、以降の処理が繰り返される。一方、ステップＳ７にて撮影ポイントの登録が終了した場合は、登録モード画面の表示が消灯され、ステップＳ８に移行する。
【００７０】
ステップＳ８では、ユーザによってデジタルカメラ１０のキーマトリクス４０中の図示されない電源釦がオフ操作されたか否かが判定される。ここで、電源釦がオフ操作されていなければ、上記ステップＳ３に移行して以降の処理動作が繰り返される。一方、上記ステップＳ８に於いて、電源釦かオフ操作された場合は、ステップＳ９に移行して一連の処理が終了されて、パワーオフ処理が実行される。こうして、本シーケンスが終了する。
【００７１】
図３は、上述した登録モード画面の表示例を示した図である。
【００７２】
この登録モード画面はＴＦＴパネル２０に表示されるもので、例えば、図３に示される例では、５つの画面から構成されている。この場合、登録順に撮影ポイントの名称と、予定時間が予想されるものに対しては概略の到着時間が概略時間として登録される。また、この例では、撮影ポイント５の「□△動物園  パンダ」、同６の「□△動物園  ライオン」や、撮影ポイント８の「○×△ハイランド  お化け屋敷」、同９の「○×△ハイランド  コーヒーカップ」、同１０の「○×△ハイランド  観覧車」については、概略時間は未登録のままとしている。これは、それぞれ□△動物園、○×△ハイランド内で訪れる順序は、その混雑状況等によって変更される可能性があって不明であったり、順路そのものが不明であるためである。したがって、こうした場合は、撮影ポイントを見逃さないようにするために、撮影ポイントのみが登録される。
【００７３】
撮影ポイントや日時情報の設定は、例えば、以下のようにして行われる。
【００７４】
ユーザは、本デジタルカメラ１０のキーマトリクス４０の所定の操作部材、例えば各種の設定画面を呼び出すメニュー釦（図示せず）を用いて、ＴＦＴパネル２０にメニュー画面（特に図示せず）を表示させる。次いで、ユーザは、キーマトリクス４０の所定の操作部材、例えば文字入力及び変換キーを用いて、当該メニュー画面より撮影ポイントの情報設定を行うための撮影ポイント設定モードを選択し決定釦により決定する。同様に、ユーザは、キーマトリクス４０の所定の操作部材、例えば四方向選択キーを用いて当該メニュー画面より日時情報の設定を行うための時間設定モードを選択し決定釦により決定する。
【００７５】
このように、撮影ポイントや日時情報の設定は、ユーザがキーマトリクス４０の所定の操作部材（図示せず）を用いて設定することにより、任意に行うことができるようになっている。
【００７６】
こうして、ＴＦＴパネル２０上に表示された登録モード画面にて、例えばキーマトリクス４０によって、各種情報が入力されることにより登録される。
【００７７】
次に、図４のフローチャートを参照して、第１の実施形態に於けるデータベース処理の動作について説明する。
【００７８】
本第１の実施形態の場合、スケジュール登録がデジタルカメラ１０本体で行われるため、この登録された旅行予定情報等のデータに対して、パーソナルコンピュータ６０からネットワーク６１を通じて、サーバ６３上のネットワークデータベースを照合し、撮影ポイントの情報を撮影情報パラメータ等に変換してカメラ内に保持しなければならない。そのため、このデータベース処理が実行される。
【００７９】
先ず、ユーザによってデジタルカメラ１０のキーマトリクス４０中の図示されない電源釦がオン操作されると、デジタルカメラ１０が起動されて本シーケンスが開始される。次いで、ステップＳ１１ａに於いて、第１ＣＰＵ３１によってカメラ内部回路の初期化処理が実行される。その後、ステップＳ１２ａにて、デジタルカメラ１０本体とパーソナルコンピュータ（ＰＣ）６０とが、外部有線データインターフェース４４を介して接続される。すると、ステップＳ１３ａにてＰＣ接続モードが起動される。尚、このデジタルカメラ１０とパーソナルコンピュータ６０との接続は、外部有線データインターフェース４４及び接続ケーブルを通じて有線によりなされるものとしているが、これに限られるものではなく、ブルートゥース、無線ＬＡＮ等であっても良い。
【００８０】
このＰＣ接続モードが起動されると、事前に起動されていたパーソナルコンピュータ６０側にて、ステップＳ１１ｂでＰＣアプリ（アプリケーション）が自動的に起動される。次いで、カメラ側にて、ステップＳ１４ａで、図３に示されるようなスケジュール情報が送信されると、パーソナルコンピュータ６０側にて、ステップＳ１２ｂでスケジュール情報が受信される。
【００８１】
パーソナルコンピュータ６０側では、次に、ステップＳ１３ｂにて撮影ポイントが自動的にリストアップされる。ここでは、上述した図２のフローチャートに従って登録された撮影ポイントを基に、ステップＳ１１ｃでネットワークデータベース（サーバ６３）側の撮影ポイントデータベースにアクセスされる。そして、図５（ａ）に示されるようなカメラ側のスケジュール情報から、図５（ｂ）に示されるような撮影ポイントカメラ情報が読み出される。つまり、ユーザが入力した情報を基に、実際にはどのような撮影ポイントが存在するのか、というような情報がリストアップされる。
【００８２】
例えば、ユーザはスケジュール情報として、撮影ポイントとその到着の概略時間は、１に「○○駅前」、「５月１日９時３０分（表記は５／１  ９：３０）」、２に「○△寺」、「５月１日１０時３０分（表記は５／１  １０：３０）」しか登録していない。しかしながら、撮影ポイント１の「○○駅前」であっても、ネットワークデータベースを参照すると、撮影に好適な場所は一箇所とは限らない場合がある。
【００８３】
こうした場合、撮影ポイントデータベースから撮影ポイント１のキーワードである「○○駅前」から、撮影に好適な場所がリストアップされる。つまり、ユーザが旅行先の撮影ポイントを登録しておけば、当該撮影ポイントの中（近辺）で上記データベース側により何箇所か撮影ポイントの候補がリストアップされるわけである。このように撮影ポイントの候補がリストアップされることにより、ユーザが旅行先に行ってから実際に撮影するときに、好適な撮影ポイントを逃すことがなくなる。
【００８４】
この場合、例えば、「○○駅前（ホーム）」、「○○駅前（改札）」、「○○駅前（ターミナル）」等が、それぞれポイント１−１、１−２、１−３として、ポイント名称と予定時刻と共にリストアップされる。同様に、ポイント２−１、２−２、２−３として、ポイント名称「○△寺（入り口）」、「○△寺（庭園）」、「○△寺（全景）」と予定時刻がそれぞれリストアップされる。
【００８５】
このようにして、ユーザがカメラ本体で登録したスケジュール情報全てに対し、好適な撮影ポイント及び予定時刻がリストアップされる。尚、このリストアップされる撮影ポイントの数は限定されるものではないが、予め特定することも可能である。
【００８６】
次いで、ステップＳ１４ｂでは、上記ステップＳ１３ｂで読み出されたポイント名称に対するカメラ設定情報が、ステップＳ１１ｃの撮影ポイントデータベースと照合されて読み出される。撮影ポイントカメラ情報の構成例としては、撮影ポイント到着予定時刻、撮影ポイント位置情報、撮影ポイントサンプル画像、撮影ポイントでの最適撮影条件、撮影ポイントの被写体種類等がある。
【００８７】
撮影ポイント到着予定時刻とは、ルート登録から算出される時間であり、図５（ｂ）には「予定時刻」と表記されている。図３に示されるように、到着の概略時間はユーザによって登録されるが、上記ステップＳ１３ｂの自動リストアップによって追加された撮影ポイントについてはユーザによる登録はなされていない。そのため、ユーザが登録した情報からそれぞれのポイントの到着予定時刻が、システムコントロール制御部３１ａ内で算出される。
【００８８】
撮影ポイント位置情報とは、リストアップされた撮影ポイントの位置情報を表したものである。ユーザは、撮影ポイントの名称を登録しているものの、その位置までは把握していない。そのため、ユーザ登録及びネットワークデータベース（サーバ６３）からその位置情報が算出される。この撮影ポイント位置情報は、図５（ｂ）では、ＧＰＳ情報（緯度、経度）と表記されている。
【００８９】
撮影ポイントサンプル画像とは、ユーザが実際に被写体を撮影する際、どのような構図で撮影すると良いかを参照するための画像であり、ネットワークデータベース（サーバ６３）から入手される。図５（ｂ）では、サンプル画像と表記しており、例えばＪＰＥＧ形式で構成され、ＴＦＴパネル２０に表示される。
【００９０】
撮影ポイントでの最適撮影条件とは、図５（ｂ）ではカメラ設定情報として表記されている部分であり、それぞれの状態が示されている。例えば、シャッタスピード、絞り、ＩＳＯ感度、フラッシュのＯＮ／ＯＦＦ、画角情報、構図、効果音のＯＮ／ＯＦＦ、絵作りが、それぞれ最適撮影条件となるように設定される。上記画角情報としては、ズーム位置（Ｗｉｄｅ／Ｔｅｌｅ）、マクロのＯＮ／ＯＦＦであり、構図は被写体構図情報である。また、効果音はシャッタ音等であり、絵作りは色バランスの情報である。
【００９１】
また、図５（ｂ）には示されないが、撮影ポイントの被写体種類としては、例えば、自然風景、建築物、動物等に分けられ、色味、シャープネス等の微調整等が実施されるようになっている。
【００９２】
このように、撮影ポイントと予定時刻から、最適な条件で撮影を行うことができるように、カメラの各種条件が設定されることになる。
【００９３】
こうして、撮影ポイントがネットワークデータベース（サーバ６３）から読出されると、ステップＳ１５ｂで、パーソナルコンピュータ６０側にて撮影ポイントの情報が、カメラ転送用に加工される。次いで、ステップＳ１６ｂにて、上記ステップＳ１５ｂで加工された撮影ポイントカメラ情報が、カメラ側に送信される。カメラ側では、ステップＳ１５ａにてパーソナルコンピュータ６０側から撮影ポイントカメラ情報が受信される。
【００９４】
そして、ステップＳ１６ａにて、撮影ポイントカメラ情報がカメラ内に保持される。続いて、ステップＳ１７ａにて、ＰＣ接続モードが終了されてパワーオフ処理が実行されて、本シーケンスが終了する。
【００９５】
次に、図６のフローチャートを参照して、旅行当日のカメラの処理動作について説明する。
【００９６】
ユーザによってデジタルカメラ１０のキーマトリクス４０中の図示されない電源釦がオン操作されると、デジタルカメラ１０が起動されて本シーケンスが開始される。次いで、ステップＳ２１に於いて、第１ＣＰＵ３１によってカメラ内部回路の初期化処理が実行される。そして、ステップＳ２２にて、キーマトリクス４０等が操作されることにより、動作モードが選択される。この動作モードとは、例えば、前述した旅行撮影モード、再生モード、スケジュール登録モード等である。
【００９７】
そして、ステップＳ２３に於いて、選択された動作モードが旅行撮影モードであるか否かが判定される。ここで、旅行撮影モードが選択された場合はステップＳ２４に移行し、そうでない場合はその他のモード選択に移行する。尚、このその他のモードの処理については一般的な動作モードであり、本実施形態の特徴部分ではないので、ここでの説明は省略する。
【００９８】
ステップＳ２４では、図７に示されるようなスケジュール選択画面が、ＴＦＴパネル２０に表示される。ここでは、旅行のそれぞれの日の最初の撮影ポイント、この場合、「５月１日」の「○○駅前」、「５月２日」の「□△駅前」、「５月３日」の「○×△ハイランド」が表示されている。尚、撮影ポイントは、登録された情報の中で、日付単位で変更が可能である。
【００９９】
次に、ステップＳ２５にて、図示されない電源スイッチの操作により、カメラがスタンバイ状態にされる。これにより、カメラを携行可能な状態にする。
【０１００】
そして、ステップＳ２７に於いて、登録撮影ポイントの到着予定時間であるか否かが判定される。この場合、到着予定時間の３０分以内であるか否かが判定される。例えば、図５（ｂ）に示されるように、撮影ポイント１−１の○○駅前であれば、「９時２０分」の３０分以内、すなわち８時５０分〜９時５０分の間であればステップＳ２８に移行し、これらの時間外である場合は、後述するステップＳ３９に移行する。
【０１０１】
ステップＳ２８では、撮影開始に備えて、カメラがスタンバイ状態から復帰する。次いで、ステップＳ２９にて、位置取得手段であるアンテナ４６及び位置取得機能部４５によって、現在のカメラの位置が取得される。そして、続くステップＳ３０に於いて、カメラの位置取得ができたか否かが判定される。その結果、位置取得がされたならば、ステップＳ３１に移行して、登録された撮影ポイントに到着したか否かが判定される。ここで、まだ撮影ポイントに到着していないと判定されたならば、上記ステップＳ２７に移行して、移行の処理動作が繰り返される。一方、登録された撮影ポイントに到着したと判定されたならば、ステップＳ３３に移行して、到着したことをユーザに告知すべくアラームが起動される。このアラームは、上述したように、ＴＦＴパネル２０やＬＣＤパネル４２上の点滅表示や、バイブレータ等の振動部材による振動、或いは発音部材による発音等により実行される。
【０１０２】
一方、上記ステップＳ３０にて位置取得がなされない場合とは、例えば地下街等、ＧＰＳによる位置取得が困難な場所等が考えられる。このような場合は、ステップＳ３２に移行して、登録された撮影ポイントの到着時間ちょうどであるか否かが判定される。この到着時間は余裕を持たせても良い。この判定の結果、上記登録された撮影ポイントの到着時間ちょうどであればステップＳ３３へ移行し、そうでなければ上記ステップＳ２７に移行して移行の処理動作が繰り返される。
【０１０３】
ステップＳ３４では撮影選択が行われ、続くステップＳ３５に於いて撮影するか否かが判定される。ここで、撮影する場合はステップＳ３６に移行し、撮影しない場合は後述するステップＳ３９に移行する。ここで、撮影しない場合とは、例えば、推奨される撮影ポイントであってもユーザの意志で撮影が行われない場合や、撮影ポイントである旨が告知されてもユーザが現在いる位置がわからないので、リストを見直す等、撮影が行われない場合等が考えられる。
【０１０４】
ステップＳ３６では、ユーザの撮影を補助するための撮影サンプル画像がＥＥＰＲＯＭ３７より読み出される。これは、図５（ｂ）に示されるように、ＥＥＰＲＯＭ３７に登録されていて、その撮影ポイントに好適な構図で被写体を捉えた画像が、ＴＦＴパネル２０に例として表示されることで、ユーザが参照できるようにしている。
【０１０５】
次いで、ステップＳ３７にて、図５（ｂ）に示されるようなカメラ設定情報に従って、カメラが最適な撮影モードに設定される。ここでは、ユーザはカメラ設定情報を操作することはない。そして、ステップＳ３８にて撮影動作が実行されると、ステップＳ３９に移行する。
【０１０６】
ステップＳ３９では、該当する撮影ポイントでの撮影が終了したか否かが判定される。ここで、まだ該当ポイントでの撮影が済んでいなければ、上記ステップＳ２７に移行して、移行の処理動作が繰り返される。これに対して、上記ステップＳ３９にて、該当ポイントでの撮影がすんでいる場合は、ステップＳ４０に移行する。
【０１０７】
ステップＳ４０では、全ての撮影ポイントについて撮影が完了したか否かが判定される。ここで、まだ全ての撮影ポイントの撮影は完了していない場合は、ステップＳ４１に移行する。そして、ステップＳ４１にて、現在選択されているスケジュールの次の撮影ポイントの情報がカメラにセットされる。その後、上記ステップＳ２６に移行して、移行の処理動作が繰り返される。
【０１０８】
一方、上記ステップＳ４０にて、全ての撮影ポイントでの撮影が完了した場合は、ステップＳ４２に移行して、パワーオフ処理が実行されて、本シーケンスが終了する。
【０１０９】
このように、第１の実施形態によれば、アラームによってユーザが旅行等で名所等を見逃したり、そこでの記念写真を忘れたりすることがなく、煩わしい撮影モード設定をユーザが行わなくとも良いデジタルカメラを提供することができる。
【０１１０】
（第２の実施形態）
次に、本発明の第２の実施形態について説明する。
【０１１１】
上述した第１の実施形態では、スケジュールを登録する事前準備処理をデジタルカメラ側で行っていたが、この第２の実施形態では事前準備処理とデータベース処理をパーソナルコンピュータ等で行う例について述べる。
【０１１２】
尚、以下に述べる第２の実施形態に於いて、デジタルカメラ、パーソナルコンピュータ等の基本的な構成については、上述した第１の実施形態と同じであるので、説明の重複を避けるため、同一の部分には同一の参照番号を付して、その図示及び説明を省略し、異なる部分についてのみ説明する。
【０１１３】
図８は、本発明の第２の実施形態に於けるデジタルカメラの事前処理及びデータベース処理の動作について説明するためのフローチャートである。
【０１１４】
第２の実施形態の場合、スケジュール登録はパーソナルコンピュータ６０側で行われるため、この登録された旅行予定情報等のデータに対して、ネットワークデータベース（サーバ６３）を照合し、撮影ポイントの情報を撮影情報パラメータ等に変換してカメラ内に保持するようにしている。
【０１１５】
事前準備として、パーソナルコンピュータ６０側のアプリケーション（スケジューラソフトウエア）が起動されて本シーケンスが開始される。先ず、ステップＳ５１ｂにて、図３に示されるような登録モード画面がパーソナルコンピュータ６０の画面上に表示され、この画面に従って撮影ポイントが登録される。次いで、ステップＳ５２ｂにて概略の到着時間が登録される。
【０１１６】
そして、ステップＳ５３ｂに於いて、撮影ポイントの登録が終了したか否かが判定される。ここで、まだ登録が終了していない場合は、上記ステップＳ５１ｂに移行して、以降の処理が繰り返される。一方、ステップＳ５３ｂにて撮影ポイントの登録が終了した場合は、ステップＳ５４ｂに移行する。
【０１１７】
ステップＳ５４ｂでは、撮影ポイントが自動的にリストアップされる。ここでは、上述したように、ステップＳ５１ｃでネットワークデータベース（サーバ６３）側の撮影ポイントデータベースにアクセスされる。そして、図５（ａ）に示されるようなカメラ側のスケジュール情報から、図５（ｂ）に示されるような撮影ポイントカメラ情報が読み出される。つまり、ユーザが入力した情報を基に、実際にはどのような撮影ポイントが存在するのか、というような情報がリストアップされる。
【０１１８】
次いで、ステップＳ５５ｂでは、上記ステップＳ５４ｂで読み出されたポイント名称に対するカメラ設定情報が、ステップＳ５１ｃの撮影ポイントデータベース(サーバ６３)と照合されて読み出される。こうして、撮影ポイントがネットワークデータベース(サーバ６３)から読出されると、ステップＳ５６ｂで、パーソナルコンピュータ６０側にて撮影ポイントの情報が、カメラ転送用に加工される。次いで、ステップＳ５７ｂにて、上記ステップＳ５６ｂで加工された撮影ポイントカメラ情報が、カメラ側に送信される。
【０１１９】
一方、ユーザによってデジタルカメラ１０のキーマトリクス４０中の図示されない電源釦がオン操作されると、デジタルカメラ１０が起動される。そして、ステップＳ５１ａにて、第１ＣＰＵ３１によってカメラ内部回路の初期化処理が実行される。次いで、ステップＳ５２ａにて、デジタルカメラ１０本体とパーソナルコンピュータ（ＰＣ）６０とが接続される。
【０１２０】
すると、続くステップＳ５３ａにて、パーソナルコンピュータ６０側から撮影ポイントカメラ情報が受信される。そして、ステップＳ５４ａにて、撮影ポイントカメラ情報がカメラ内に保持される。この後、ステップＳ５５ａにて、ＰＣ接続モードが終了されてパワーオフ処理が実行され、本シーケンスが終了する。
【０１２１】
このように、第２の実施形態によっても、アラームによってユーザが旅行等で名所等を見逃したり、そこでの記念写真を忘れたりすることがなく、煩わしい撮影モード設定をユーザが行わなくとも良いデジタルカメラを提供することができる。
【０１２２】
加えて、スケジュール登録をパーソナルコンピュータ側で行うようにして、電源の操作以外にカメラを操作することなく事前準備処理を行うことができるので、操作が簡便になる。
【０１２３】
尚、上述した実施形態に於いては、撮影情報の入力には、キーマトリクスの操作によって入力するとして説明したが、これに限られるものではない。例えば、携帯電話機等のテンキーのような変換キーによる情報入力であっても良いし、音声入力によって行われるものであっても良い。また、予め駅名や地名等が登録されていて、その登録名から該当するものを選択するようなものであっても良い。
【０１２４】
また、上述した実施形態では、位置取得情報としてＧＰＳ信号を利用したものとしたが、これに限られるものではない。例えば、携帯電話機等のように、複数の基地局を設けてこれらの基地局に向けて電波を発信して位置を特定するようなシステムで構築しても良い。
【０１２５】
更に、上述した実施形態はデジタルカメラを例に説明したが、デジタルカメラ以外の撮影装置、カメラ機能付の携帯電話機等の電子機器、並びに撮影支援システム等にも適用可能であるのは勿論である。
【０１２６】
以上、本発明の実施形態について説明したが、本発明は上述した実施形態に限定されるものではなく、本発明の要旨を逸脱しない範囲で種々の変形実施が可能であるのは勿論である。
【０１２７】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【０１２８】
尚、本発明の上記実施の形態によれば、以下の如き構成を得ることができる。
【０１２９】
すなわち、
（１）  情報を設定する情報設定手段と、
上記情報設定手段から入力された地名情報と時間情報とからスケジュール情報を生成するスケジュール生成手段と、
上記スケジュール情報に基づきモードリスト情報を生成するモードリスト情報生成手段と、
上記スケジュール生成手段が生成したモードリスト情報を撮影装置へ設定するモードリスト情報設定手段と、
位置情報を出力する位置検出手段と、
時間情報を出力する時間検出手段と、
上記モードリスト情報からリストを読み出して、このリストに登録された撮影条件を設定して撮影装置を待機状態に設定する撮影条件設定手段と、
上記設定手段が読み出したリストに記憶された位置情報或いは時間情報と、上記位置検出手段の出力或いは上記時間情報の出力とを比較する比較手段と、
上記比較手段が一致を検出すると撮影装置を待機状態から上記設定された撮影条件で撮影可能な状態に撮影装置を起動する起動手段と、
を具備することを特徴とする撮影装置。
【０１３０】
（２）  位置情報或いは時間情報に対応させられた撮影条件に関する情報を含んだ複数のリストから成るモードリスト情報に基づき動作可能な撮影装置であって、
上記モードリスト情報から上記リストを読み出して、このリストに記録された撮影条件を設定して撮影装置を待機状態に設定する設定手段と、
位置情報を出力する位置検出手段と、
時間情報を出力する時間検出手段と、
上記設定手段が読み出したリストに記憶された位置情報或いは時間情報と、上記位置検出手段の出力或いは上記時間情報の出力とを比較する比較手段と、
上記比較手段が一致を検出すると撮影装置を待機状態から上記設定された撮影条件で撮影可能な状態に撮影装置を起動する起動手段と、
を具備することを特徴とする撮影装置。
【０１３１】
（３）  スケジュール情報の設定を行うと共にこのスケジュール情報からモードリスト情報を生成する電子機器と、このモードリスト情報に基づき動作条件が設定可能な撮影装置とから構成された撮影支援システムであって、
上記電子機器は、
情報の設定手段と、
上記設定手段から入力された地名情報と時間情報とからスケジュール情報を生成するスケジュール生成手段と、
上記スケジュール情報に基づき上記モードリスト情報を生成する生成手段と、
上記生成手段が生成したモードリスト情報を上記撮影装置へ設定する設定手段と、
を有し、
上記撮影装置は、
上記モードリスト情報からリストを読み出して、このリストに記録された撮影条件を設定して撮影装置を待機状態に設定する設定手段と、
位置情報を出力する位置検出手段と、
時間情報を出力する時間検出手段と、
上記設定手段が読み出したリストに記憶された位置情報或は時間情報と、上記位置検出手段の出力或は上記時間情報の出力とを比較する比較手段と、
上記比較手段が一致を検出すると撮影装置を待機状態から上記設定された撮影条件で撮影可能な状態に撮影装置を起動する起動手段と、
を有する
ことを特徴とする撮影支援システム。
【０１３２】
（４）  少なくとも地名情報及び時間情報を入力する入力手段と、
上記入力手段から入力された地名情報と時間情報とからスケジュール情報を生成するスケジュール生成手段と、
上記スケジュール情報に基づきモードリスト情報を生成するモードリスト情報生成手段と、
上記スケジュール生成手段が生成したモードリスト情報を設定するモードリスト情報設定手段と、
位置情報を検出して出力する位置検出手段と、
時間情報を検出して出力する時間検出手段と、
上記モードリスト情報からリストを読み出して、該リストに登録された撮影条件を設定して待機状態に設定する撮影条件設定手段と、
上記撮影条件設定手段が読み出したリストに記憶された位置情報若しくは時間情報と、上記位置検出手段から出力された位置情報若しくは上記時間検出手段から出力された時間情報と、を比較する比較手段と、
上記比較手段で比較された結果が一致すると、上記待機状態から、上記設定された撮影条件で撮影可能な状態に起動する起動手段と、
を具備することを特徴とする撮影装置。
【０１３３】
（５）  少なくとも位置情報及び時間情報の少なくとも何れか一方に対応された撮影条件に関する情報を含んだ複数のリストから成るモードリスト情報に基づいて動作可能な撮影装置であって、
上記モードリスト情報から読み出された上記リストに記録された撮影条件を設定して上記撮影装置を待機状態に設定する設定手段と、
位置情報を検出して出力する位置検出手段と、
時間情報を検出して出力する時間検出手段と、
上記設定手段で設定されたリストに記憶された上記撮影条件と、上記位置検出手段から出力された位置情報及び上記時間検出手段から出力された時間情報の少なくとも何れか一方と、を比較する比較手段と、
上記比較手段で比較された結果が一致している場合に撮影装置を待機状態から上記設定された撮影条件で撮影可能な状態に起動する起動手段と、
を具備することを特徴とする撮影装置。
【０１３４】
（６）  スケジュール情報の設定を行うと共にこのスケジュール情報からモードリスト情報を生成する電子機器と、このモードリスト情報に基づいて撮影条件が設定可能な撮影装置と、から構成される撮影支援システムであって、
上記電子機器は、
情報を入力する情報入力手段と、
上記情報入力手段から入力された地名情報及び時間情報の少なくとも一方とからスケジュール情報を生成するスケジュール生成手段と、
上記スケジュール情報に基づき上記モードリスト情報を生成するモードリスト情報生成手段と、
上記モードリスト情報生成手段が生成したモードリスト情報を上記撮影装置へ設定する設定手段と、
を有し、
上記撮影装置は、
上記モードリスト情報からリストを読み出して、該リストに記録された撮影条件を設定して撮影装置を待機状態に設定する設定手段と、
位置情報を検出して出力する位置検出手段と、
時間情報を検出して出力する時間検出手段と、
上記設定手段が読み出したリストに記憶された位置情報若しくは時間情報と、上記位置検出手段から出力された位置情報若しくは上記時間検出手段から出力された時間情報とを比較する比較手段と、
上記比較手段で比較された結果が一致すると上記撮影装置を待機状態から上記設定された撮影条件で撮影可能な状態に撮影装置を起動する起動手段と、
を有する
ことを特徴とする撮影支援システム。
【図面の簡単な説明】
【０１３５】
【図１】本発明の第１の実施形態によるデジタルカメラの主な構成を示すブロック図である。
【図２】本発明の第１の実施形態に於けるデジタルカメラの動作について説明するためのフローチャートである。
【図３】本発明の第１の実施形態に於いてデジタルカメラのスケジュール登録を行う画面の表示例を示した図である。
【図４】本発明の第１の実施形態に於いてデータベース処理の動作について説明するためのフローチャートである。
【図５】（ａ）はカメラ側のスケジュール情報の表示例を示した図、（ｂ）は撮影ポイントカメラ情報の例を示した図である。
【図６】本発明の第１の実施形態に於けるデジタルカメラを用いた旅行当日のカメラの処理動作について説明するためのフローチャートである。
【図７】スケジュール選択画面の表示例を示した図である。
【図８】本発明の第２の実施形態に於けるデジタルカメラの事前準備処理及びデータベース処理をパーソナルコンピュータ等で行う場合の処理動作を説明するためのフローチャートである。
【符号の説明】
【０１３６】
１０…デジタルカメラ、１１…レンズ、１２…電荷結合素子（ＣＣＤ）、１３…撮像回路、１４…Ａ／Ｄ変換器、１７…フレームメモリ、１８…ＦＩＦＯメモリ、１９…ＴＦＴ液晶駆動回路、２０…ＴＦＴパネル、２１…バックライトユニット、２２…ビデオ出力回路、２３…ビデオ出力端子、２５…記録バッファ、２６…記録媒体インターフェース（記録媒体Ｉ／Ｆ）、２７…記録媒体、３１…第１ＣＰＵ（ＣＰＵ１）、３１ａ…システムコントロール機能部、３１ｂ…撮影条件自動設定機能部、３１ｃ…撮影ポイントアラーム機能部、３１ｄ…時計機能部、３２…第２ＣＰＵ（ＣＰＵ２）、３２ａ…画像圧縮伸長機能部、３２ｂ…記録媒体アクセス機能部、３５…アクチュエータ駆動回路、３６…アクチュエータ、３７…ＥＥＰＲＯＭ、４０…キーマトリクス、４０ａ…撮影ルート登録部、４１…ＬＣＤ表示回路、４２…ＬＣＤパネル、４４…外部有線データインターフェース（外部有線データＩ／Ｆ）、４５…位置取得機能部、４６…アンテナ、４９…電源回路、５０…電池、５１…電池状態検出回路、５２…バックアップ電源、６９０…パーソナルコンピュータ（ＰＣ）、６１…ネットワーク、６３…サーバ。
【図１】
2008301231.tif 000003
【図２】
2008301231.tif 000004
【図３】
2008301231.tif 000005
【図４】
2008301231.tif 000006
【図５】
2008301231.tif 000007
【図６】
2008301231.tif 000008
【図７】
2008301231.tif 000009
【図８】
2008301231.tif 000010